(57)【要約】【課題】液晶表示パネルの色温度を高くすることができる液晶表示装置を提供する。【解決手段】液晶表示装置は、赤色フィルター、透明フィルター、及び青色フィルターを含むカラーフィルターを含む液晶表示パネル、及び液晶表示パネルの後方に位置するバックライトパネルを含む。バックライトパネルは、電子放出部、及び電子放出部から放出された電子によって励起されて、可視光を放出する蛍光層を含む。蛍光層は、赤色蛍光体及び青色蛍光体を含む第１蛍光層、及び緑色蛍光体を含む第２蛍光層から構成される。第１蛍光層及び第２蛍光層は順次に発光する。【選択図】図１
2010134397.tif 000002
【特許請求の範囲】
【請求項１】
赤色フィルター、透明フィルター、及び青色フィルターを含むカラーフィルターを含む液晶表示パネル；及び
前記液晶表示パネルの後方に位置して、電子放出部、及び前記電子放出部から放出された電子によって励起されて、可視光を放出する蛍光層を含むバックライトパネル；を含み、
前記蛍光層は、赤色蛍光体及び青色蛍光体を含む第１蛍光層；及び緑色蛍光体を含む第２蛍光層；を含み、
前記第１蛍光層及び前記第２蛍光層は順次に発光する、液晶表示装置。
【請求項２】
前記第１蛍光層及び前記第２蛍光層は、前記バックライトパネルが含む複数の画素ごとに各々１つ以上形成される、請求項１に記載の液晶表示装置。
【請求項３】
前記バックライトパネルの画素数は、前記液晶表示パネルの画素数より少ない、請求項２に記載の液晶表示装置。
【請求項４】
前記バックライトパネルは、前記複数の電子放出部が位置する第１基板；前記第１基板の一面に絶縁層を間において互いに直交するように配置されるカソード電極及びゲート電極；前記第１基板に対向配置されて、前記蛍光層が位置する第２基板；及び前記第２基板の一面に配置されるアノード電極；を含む、請求項１に記載の液晶表示装置。
【請求項５】
前記カソード電極及び前記ゲート電極の交差領域が前記バックライトパネルが含む複数の画素で１つの画素に対応し、前記バックライトパネルの各画素ごとに前記第１蛍光層及び前記第２蛍光層が各々１つ以上形成される、請求項４に記載の液晶表示装置。
【請求項６】
前記第１蛍光層及び前記第２蛍光層は、前記ゲート電極の長さ方向に沿って平行に位置する、請求項５に記載の液晶表示装置。
【請求項７】
前記カソード電極は、前記第１蛍光層に対応する第１サブ電極、及び前記第２蛍光層に対応する第２サブ電極を含み、前記第１サブ電極及び前記第２サブ電極は分離されている、請求項６に記載の液晶表示装置。
【請求項８】
前記バックライトパネルの１つの画素のオンタイム時間は、第１期間及び第２期間に分けられる、請求項７に記載の液晶表示装置。
【請求項９】
前記第１蛍光層は前記第１期間に発光し、前記第２蛍光層は前記第２期間に発光する、請求項８に記載の液晶表示装置。
【請求項１０】
前記第１期間に前記第１サブ電極が駆動電圧の印加を受け、前記第２期間に前記第２サブ電極が駆動電圧の印加を受ける、請求項８に記載の液晶表示装置。
【請求項１１】
前記液晶表示パネルが第１画素を形成し、前記バックライトパネルが前記第１画素より少ない個数の第２画素を形成して、前記第２画素がそれと対応する前記第１画素の階調に対応して独立的に発光する、請求項４乃至１０のうちのいずれか一項に記載の液晶表示装置。
【発明の詳細な説明】
【技術分野】
【０００１】
本発明は、液晶表示装置に関し、より詳細には、液晶表示装置に含まれるカラーフィルターに関する。
【背景技術】
【０００２】
一般に、液晶表示装置は、液晶表示パネル、及び液晶表示パネルの後方に配置されて、液晶表示パネルに白色光を提供するバックライトパネルから構成される。液晶表示パネルは、印加電圧によってねじれ角が変化する液晶の誘電異方性を利用して副画素ごとに光の透過量を変化させ、カラーフィルターによって副画素ごとに白色光を赤色光、緑色光、及び青色光に変化させて、所定のカラー画像を実現する。
【０００３】
バックライトパネルとしては、冷陰極蛍光ランプ（Ｃｏｌｄ  Ｃａｔｈｏｄｅ  Ｆｌｕｏｒｅｓｃｅｎｔ  Ｌａｍｐ；ＣＣＦＬ）方式が幅広く使用されている。ＣＣＦＬは線光源であるため、ＣＣＦＬ方式のバックライトパネルは、導光板、反射板、拡散シート、及びプリズムシートなどの光学部材を含んで、ＣＣＦＬから放出された光を均等に分散させて、液晶表示パネルに提供する。
【０００４】
しかし、ＣＣＦＬ方式のバックライトパネルでは、ＣＣＦＬから放出された光が光学部材を通過することによって相当な部分が損失され、このような光の損失を補償するために、ＣＣＦＬが強い光を放出しなければならないので、消費電力が大きい短所がある。また、ＣＣＦＬ方式のバックライトパネルは、大面積化が難しいため、大型の液晶表示装置への適用には限界がある。
【０００５】
したがって、最近では、真空パネルの内部に冷陰極電子源及び蛍光層が形成された電界放出型バックライトパネルが提案されている。電界放出型バックライトパネルは、電界を利用して冷陰極電子源から電子を放出させ、この電子によって蛍光層を励起させて、可視光を放出する。このような電界放出型バックライトパネルは、輝度が高くて、消費電力が小さく、大面積化が容易な長所がある。
【０００６】
電界放出型バックライトパネルにおいて、蛍光層は、緑色蛍光体（Ｇ）、青色蛍光体（Ｂ）、及び赤色蛍光体（Ｒ）が混合されて白色光を放出する混合蛍光体からなる。バックライトパネルの発光効率は、緑色蛍光体（Ｇ）、青色蛍光体（Ｂ）、及び赤色蛍光体（Ｒ）の混合比によって決定され、この混合比は、色温度によって決定される。バックライトパネル及び液晶表示パネルの間には、一枚の光拡散部材が位置する。
【０００７】
このような条件で、液晶表示パネルに要求される色温度は約１０，０００Ｋであり、バックライトパネルに要求される色温度は約５０，０００Ｋである。つまり、バックライトパネルから放出された白色光の一部が光拡散部材、液晶表示パネルに形成された偏光板、薄膜トランジスタ、液晶層、及びカラーフィルターなどを通過することによって損失されるので、バックライトパネルが約５０，０００Ｋの色温度を実現する場合にのみ液晶表示パネルが約１０，０００Ｋの色温度を実現することができるのである。
【０００８】
現在、電界放出型バックライトパネルにおいて、緑色蛍光体（Ｇ）、青色蛍光体（Ｂ）、及び赤色蛍光体（Ｒ）の混合比は約４：１：２で、５０，０００Ｋより低い色温度を実現している。したがって、５０，０００Ｋの色温度を達成するためには、緑色蛍光体（Ｇ）、青色蛍光体（Ｂ）、及び赤色蛍光体（Ｒ）の混合比を約１：２：１に変更して、青色蛍光体（Ｂ）及び赤色蛍光体（Ｒ）の効率を向上させなければならない。
【０００９】
しかし、陰極線管及び電界放出表示装置用に数年間効率の向上が進められた陰極発光（Ｃａｔｈｏｄｅ  Ｌｕｍｉｎｅｓｃｅｎｃｅ；ＣＬ）蛍光体は、効率の向上に多くの困難がある。
【発明の概要】
【発明が解決しようとする課題】
【００１０】
本発明は、液晶表示装置に含まれる蛍光層の構造を改善して、液晶表示パネルに要求される色温度を容易に実現することができる、液晶表示装置を提供する。
【課題を解決するための手段】
【００１１】
本発明の一実施例による液晶表示装置は、赤色フィルター、透明フィルター、及び青色フィルターを含むカラーフィルターを含む液晶表示パネル、及び液晶表示パネルの後方に位置するバックライトパネルを含む。バックライトパネルは、電子放出部、電子放出部から放出された電子によって励起されて、可視光を放出する蛍光層を含む。蛍光層は、赤色蛍光体及び青色蛍光体を含む第１蛍光層、及び緑色蛍光体を含む第２蛍光層から構成される。第１蛍光層及び第２蛍光層は順次に発光する。
【００１２】
第１蛍光層及び第２蛍光層は、バックライトパネルが含む複数の画素ごとに各々１つ以上形成される。バックライトパネルの画素数は、液晶表示パネルの画素数より少ない。
【００１３】
バックライトパネルは、電子放出部が位置する第１基板、第１基板の一面に絶縁層を間において互いに直交するように配置されるカソード電極及びゲート電極、第１基板に対向配置されて、蛍光層が位置する第２基板、第２基板の一面に配置されるアノード電極を含む。
【００１４】
カソード電極及びゲート電極の交差領域がバックライトパネルが含む複数の画素で１つの画素に対応し、バックライトパネルの各画素ごとに第１蛍光層及び第２蛍光層が各々１つ以上形成される。第１蛍光層及び第２蛍光層は、ゲート電極の長さ方向に沿って平行に位置する。カソード電極は、第１蛍光層に対応する第１サブ電極、第２蛍光層に対応する第２サブ電極を含み、第１サブ電極及び第２サブ電極は分離形成される。
【００１５】
バックライトパネルの１つの画素のオンタイム時間は、第１期間及び第２期間に分けられる。第１蛍光層は第１期間に発光し、第２蛍光層は第２期間に発光する。第１期間に第１サブ電極が駆動電圧の印加を受け、第２期間に第２サブ電極が駆動電圧の印加を受ける。
【００１６】
液晶表示パネルが第１画素を形成する時、バックライトパネルは第１画素より少ない個数の第２画素を形成して、第２画素がそれと対応する第１画素の階調に対応して独立的に発光する。
【発明の効果】
【００１７】
本発明による液晶表示装置は、液晶表示パネルのカラーフィルター及びバックライトパネルの蛍光層の構造を改善することによって、バックライトパネルから放出される白色光のうちの青色光及び赤色光の透過率を高くして、青色蛍光体及び赤色蛍光体の効率を向上させることができる。したがって、本発明による液晶表示装置は、液晶表示パネルに要求される色温度を容易に実現することができる。
【図面の簡単な説明】
【００１８】
【図１】本発明の実施例による液晶表示装置の分解斜視図である。
【図２】図１に示した液晶表示装置が含む液晶表示パネルの部分断面図である。
【図３】図１に示した液晶表示装置が含むバックライトパネルの蛍光層を示した概略図であって、１つの画素領域を示したものである。
【図４】本発明において、カラーフィルターに対するバックライトパネルの赤色光、緑色光、及び青色光の透過率の関係を示した概略図である。
【図５】図１に示した液晶表示装置が含むバックライトパネルの部分分解斜視図である。
【図６】図５に示したバックライトパネルの部分断面図である。
【図７】図５に示したバックライトパネルの作用説明のために示した部分断面図である。
【図８】図５に示したバックライトパネルの作用説明のために示した部分断面図である。
【発明を実施するための形態】
【００１９】
以下、添付した図面を参照して、本発明の実施例について、本発明が属する技術分野で通常の知識を有する者が容易に実施することができるように詳細に説明する。本発明は、多様な相異した形態に具現されて、ここで説明する実施例に限定されない。
【００２０】
図１は本発明の一実施例による液晶表示装置の分解斜視図である。
【００２１】
図１を参照すれば、本実施例の液晶表示装置１００は、液晶表示パネル２００、及び液晶表示パネル２００の後方に位置して、液晶表示パネル２００に白色光を提供するバックライトパネル３００を含む。液晶表示パネル２００及びバックライトパネル３００の間には、バックライトパネル３００から放出された光を均等に分散させる一枚の光拡散部材１２が位置することができる。
【００２２】
バックライトパネル３００は、電界放出型であって、冷陰極電子放出物質からなる電子放出部、電子放出部の放出電流量を制御する駆動電極、電子によって励起されて、可視光を放出する蛍光層を含む。このようなバックライトパネル３００は、駆動電極の組み合わせによって電子放出量が独立的に制御される複数の画素を含む。
【００２３】
バックライトパネル３００は、液晶表示パネル２００より少ない数の画素を形成して、バックライトパネル３００の１つの画素が液晶表示パネル２００の２つ以上の画素に対応するようにする。バックライトパネル３００の各画素は、対応する液晶表示パネル２００の複数の画素の階調のうちの最も高い階調に対応して発光して、２ないし８ビットの階調を表現することができる。
【００２４】
したがって、バックライトパネル３００は、液晶表示パネル２００が実現する画面のうちの明るい領域には高い輝度の光を提供し、暗い領域には低い輝度の光を提供することができる。その結果、液晶表示装置１００は、画面のコントラスト比を高くして、鮮明な画質を実現することができる。
【００２５】
図２は図１に示した液晶表示パネルの部分断面図である。
【００２６】
図２を参照すれば、液晶表示パネル２００は、下部基板１４の内面に形成される複数の薄膜トランジスタ（Ｔｈｉｎ  Ｆｉｌｍ  Ｔｒａｎｓｉｓｔｏｒ；ＴＦＴ）１６及び複数の画素電極１８、上部基板２０の内面に形成されるカラーフィルター２２及び共通電極２４、上部基板２０及び下部基板１４の間に注入される液晶層２６を含む。上部基板２０の上面及び下部基板１４の下面には、偏光板２８、３０が付着されて、液晶表示パネル２００を通過する光を偏光させる。
【００２７】
薄膜トランジスタ１６及び画素電極１８は、副画素ごとに１つずつ位置し、カラーフィルター２２は、副画素ごとに１つずつ形成される赤色フィルター２２Ｒ、透明フィルター２２Ｔ、及び青色フィルター２２Ｂからなる。
【００２８】
特定の副画素の薄膜トランジスタ１６がターンオンされると、画素電極１８及び共通電極２４の間に電界が形成され、この電界によって液晶分子の配列角が変化し、変化した配列角によって光の透過度が変化する。液晶表示パネル２００は、このような過程を通じて画素別の輝度及び発光色を制御することができる。
【００２９】
図１で、引用符号３２は各薄膜トランジスタのゲート電極に走査駆動信号を伝送する走査回路ボードアセンブリーを示し、引用符号３４は各薄膜トランジスタのソース電極にデータ駆動信号を伝送するデータ回路ボードアセンブリーを示す。
【００３０】
本実施例の液晶表示装置１００において、液晶表示パネル２００は、赤色フィルター２２Ｒ、透明フィルター２２Ｔ、及び青色フィルター２２Ｂからなるカラーフィルター２２を含み、バックライトパネル３００は、各画素ごとに赤色蛍光体及び青色蛍光体を含む第１蛍光層、及び緑色蛍光体を含む第２蛍光層を含む。
【００３１】
図３はバックライトパネルの蛍光層を示した概略図であって、１つの画素領域に対応する蛍光層領域を示したものである。
【００３２】
図３を参照すれば、バックライトパネル３００の１つの画素には、赤色蛍光体及び青色蛍光体が混合されて赤色及び青色の混合光を放出する第１蛍光層３６１、緑色蛍光体を含んで緑色光を放出する第２蛍光層３６２が平行に位置する。第１蛍光層３６１及び第２蛍光層３６２は、バックライトパネル３００の画素ごとに１つ以上形成される。図３では、一例として、１つの画素に２つの第１蛍光層３６１及び２つの第２蛍光層３６２が交互に位置することを示した。
【００３３】
第１蛍光層３６１及び第２蛍光層３６２は、第１期間及び第２期間に分けて駆動するバックライトパネル３００の駆動方式によって、第１蛍光層３６１は第１期間の間に発光し、第２蛍光層３６２は第２期間の間に発光する。つまり、バックライトパネル３００の１つの画素は、第１蛍光層３６１及び第２蛍光層３６２の順に発光することによって、白色光を実現することができる。
【００３４】
図４は液晶表示パネルのカラーフィルターに対するバックライトパネルの透過率の関係を示した概略図である。
【００３５】
図４を参照すれば、バックライトパネルの１つの画素から放出された白色光のうちの緑色光成分は透明フィルター２２Ｔだけを通過し、白色光のうちの青色光成分は透明フィルター２２Ｔ及び青色フィルター２２Ｂを通過し、白色光のうちの赤色光成分は赤色フィルター２２Ｒ及び透明フィルター２２Ｔを通過する。これは、一般的な液晶表示装置において、バックライトパネルから発光した白色光のうちの青色光成分が青色フィルターだけを通過し、赤色光成分が赤色フィルターだけを通過する場合に比べて、青色光及び赤色光の透過率が２倍高くなったことを意味する。
【００３６】
したがって、本実施例の液晶表示装置１００は、バックライトパネル３００の蛍光層を構成する赤色蛍光体、緑色蛍光体、及び青色蛍光体のうちの赤色蛍光体及び青色蛍光体の発光効率を向上させる効果を得ることができ、これによって、液晶表示パネル２００に要求される色温度を容易に実現することができる。
【００３７】
本実施例で、第１蛍光層３６１に対する青色蛍光体及び赤色蛍光体の混合比は２：１であり、第１蛍光層３６１及び第２蛍光層３６２に対する青色蛍光体、緑色蛍光体、及び赤色蛍光体の混合比は２：２：１である。これは、バックライトパネル３００の適正な色温度（例；５０，０００Ｋ）を考慮したものである。
【００３８】
同時に、本実施例で、第１蛍光層３６１及び第２蛍光層３６２の面積比は３：２である。ここで、面積比は、蛍光層を構成する当該蛍光体の効率によって変更することができるので、前記に限定されない。
【００３９】
次に、バックライトパネル３００の内部構造、及び第１蛍光層３６１及び第２蛍光層３６２を順次に発光させる動作について説明する。
【００４０】
図５及び図６は各々図１に示したバックライトパネルの部分分解斜視図及び部分断面図である。
【００４１】
図５及び図６を参照すれば、バックライトパネル３００は、互いに対向配置される第１基板３８及び第２基板４０を含む。第１基板３８及び第２基板４０の周縁にはこの基板３８、４０を接合させる密封部材（図示せず）が位置し、内部空間が約１０−６Ｔｏｒｒの真空度に排気されて、第１基板３８、第２基板４０、及び密封部材が真空パネルを構成する。
【００４２】
第１基板３８の内面には、電子放出のための電子放出ユニット４２が位置し、第２基板４０の内面には、可視光放出のための発光ユニット４４が位置する。発光ユニット４４が位置する第２基板４０がバックライトパネル３００の前面基板となることができる。
【００４３】
電子放出ユニット４２は、電子放出部４６、電子放出部４６からの電子の放出を制御する駆動電極を含む。駆動電極は、第１基板３８の一方向（図面のｙ軸方向）に沿ってストライプパターンに形成されるカソード電極４８、絶縁層５０を間においてカソード電極４８の上部でカソード電極４８と交差する方向（図面のｘ軸方向）に沿ってストライプパターンに形成されるゲート電極５２を含む。
【００４４】
カソード電極４８及びゲート電極５２の交差領域ごとにゲート電極５２及び絶縁層５０に開口部５２１、５０１が各々形成されて、カソード電極４８の表面の一部が露出され、絶縁層の開口部５０１のカソード電極４８上に電子放出部４６が位置する。カソード電極４８及びゲート電極５２の交差領域の１つがバックライトパネル３００の１つの画素領域に対応することができる。
【００４５】
電子放出部４６は、冷陰極電子放出物質であって、真空中で電界が加えられると電子を放出する物質、例えば炭素系物質またはナノメートルサイズ物質を含む。電子放出部４６は、一例として、炭素ナノチューブ、黒鉛、黒鉛ナノファイバー、ダイヤモンド状炭素、フラーレン、シリコンナノワイヤー、及びこれらの組み合わせからなる群より選択される物質を含む。
【００４６】
発光ユニット４４は、第２基板４０の内面に形成されるアノード電極５４、アノード電極５４の一面に位置する蛍光層３６、蛍光層３６を覆う金属反射膜５６を含む。
【００４７】
アノード電極５４は、５ｋＶ以上の高電圧（アノード電圧）の印加を受けて蛍光層３６を高電位状態に維持し、蛍光層３６から放出される可視光を透過させることができるように、ＩＴＯ（ｉｎｄｉｕｍ  ｔｉｎ  ｏｘｉｄｅ）などの透明な導電物質から形成される。
【００４８】
蛍光層３６は、赤色蛍光体及び青色蛍光体を含む第１蛍光層３６１、及び緑色蛍光体を含む第２蛍光層３６２からなる。第１蛍光層３６１及び第２蛍光層３６２は、１つの画素領域でゲート電極５２の長さ方向（図面のｘ軸方向）に沿って平行に位置する。図５及び図６では、１つの画素領域に２つの第１蛍光層３６１及び２つの第２蛍光層３６２がゲート電極５２の長さ方向に沿って１つずつ交互に位置することを示した。
【００４９】
金属反射膜５６は、数千オームストロング（Å）の厚さのアルミニウム薄膜からなることもでき、電子ビームの通過のための微細ホールが形成される。金属反射膜５６は、蛍光層３６から放出された可視光のうちの第１基板３８に向かって放出された可視光を第２基板４０側に反射させて、バックライトパネル３００の輝度を高くする。一方、アノード電極５４が省略されて、金属反射膜５６がアノード電圧の印加を受けて、アノード電極として機能することもできる。
【００５０】
本実施例で、カソード電極４８は、第１蛍光層３６１に対応する第１サブ電極４８１、及び第２蛍光層３６２に対応する第２サブ電極４８２からなる。図５及び図６では、前記第１蛍光層３６１及び第２蛍光層３６２の構造に対応して、１つのカソード電極４８が２つの第１サブ電極４８１及び２つの第２サブ電極４８２からなることを示した。
【００５１】
１つのカソード電極４８内に位置する第１サブ電極４８１は、互いに電気的に連結されて、同一な駆動電圧の印加を受け、第２サブ電極４８２も、互いに電気的に連結されて、同一な駆動電圧の印加を受ける。
【００５２】
前記構造のバックライトパネル３００は、カソード電極４８及びゲート電極５２のうちの一方の電極、例えばゲート電極５２に走査駆動電圧を印加し、他方の電極、例えばカソード電極４８にデータ駆動電圧を印加し、アノード電極５４に５ｋＶ以上のアノード電圧を印加して、駆動される。
【００５３】
この時、１つの画素のオンタイム時間は第１期間及び第２期間に分けられて、第１期間で第１サブ電極４８１にデータ駆動電圧を印加した後、第２期間で第２サブ電極４８２にデータ駆動電圧を印加する。
【００５４】
そうすると、カソード電極４８及びゲート電極５２の電圧差が臨界値以上である画素に対して、第１期間で第１サブ電極４８１に位置する電子放出部４６の周囲に電界が形成されて、これから電子が放出される（図７参照）。放出された電子は、アノード電圧に引き寄せられて対応する第１蛍光層３６１に衝突して、これを発光させる。
【００５５】
その後、第２期間で第２サブ電極４８２に位置する電子放出部４６の周囲に電界が形成されて、これから電子が放出され（図８参照）、放出された電子は、第２蛍光層３６２に衝突して、これを発光させる。
【００５６】
このように、バックライトパネル３００は、カソード電極４８を第１サブ電極４８１及び第２サブ電極４８２に分離することによって、第１蛍光層３６１及び第２蛍光層３６２を順次に発光させることができる。
【００５７】
再び図１を参照すれば、便宜上、液晶表示パネル２００の画素を第１画素とし、バックライトパネル３００の画素を第２画素として、１つの第２画素に対応する第１画素を第１画素群とする。
【００５８】
バックライトパネル３００の駆動過程は、１：液晶表示パネル２００を制御する信号制御部が第１画素群を構成する第１画素の階調のうちの最も高い階調を検出し、２：検出された階調によって第２画素の発光に必要な階調を算出して、これをデジタルデータに変換し、３：デジタルデータを利用してバックライトパネル３００の駆動信号を生成し、４：生成された駆動信号をバックライトパネル３００の駆動電極に印加する段階を含む。
【００５９】
バックライトパネル３００の駆動信号は、前記走査駆動信号及びデータ駆動信号からなる。バックライトパネル３００の駆動のための走査回路ボードアセンブリー及びデータ回路ボードアセンブリーは、バックライトパネル３００の裏面に位置することができる。図１で引用符号５８はカソード電極及びデータ回路ボードアセンブリーを連結する第１コネクタを示し、引用符号６０はゲート電極及び走査回路ボードアセンブリーを連結する第２コネクタを示す。そして、引用符号６２はアノード電極にアノード電圧を印加する第３コネクタを示す。
【００６０】
前記では、本発明の好ましい実施例について説明したが、本発明はこれに限定されず、特許請求の範囲、発明の詳細な説明、及び添付した図面の範囲内で多様に変形して実施することができ、これも本発明の範囲に属する。
【符号の説明】
【００６１】
１００  液晶表示装置
２００  液晶表示パネル
３００  バックライトパネル
１２  光拡散部材
１４  下部基板
１６  薄膜トランジスタ
１８  画素電極
２０  上部基板
２２  カラーフィルター
２４  共通電極
２６  液晶層
２８、３０  偏光板
３６  蛍光層
３６１  第１蛍光層
３６２  第２蛍光層
３８  第１基板
４０  第２基板
４２  電子放出ユニット
４４  発光ユニット
４６  電子放出部
４８  カソード電極
４８１  第１サブ電極
４８２  第２サブ電極
５０  絶縁層
５２  ゲート電極
５４  アノード電極
５６  金属反射膜
【図１】
2010134397.tif 000003
【図２】
2010134397.tif 000004
【図３】
2010134397.tif 000005
【図４】
2010134397.tif 000006
【図５】
2010134397.tif 000007
【図６】
2010134397.tif 000008
【図７】
2010134397.tif 000009
【図８】
2010134397.tif 000010